(57)【要約】【課題】簡略化された構造で、かつ安定したレンズバリアの動作が可能なカメラを実現する。【解決手段】  レンズ鏡筒ユニット２を構成するレンズ保持部材（第１の部材）７と、  レンズ保持部材７に、レンズを覆う位置と該レンズに対して退避する位置とに回動可能に保持されたバリア部材１６と、レンズ保持部材７に対して回転することによりバリア部材１６を回動させる駆動部材（第２の部材）１８とを有し、レンズ保持部材７に、駆動部材１８の回転中心位置を決める中心決め部７ｄが設けられている。【選択図】  図３
2006098486.tif 000002
【特許請求の範囲】
【請求項１】
レンズ鏡筒を構成する第１の部材と、
前記第１の部材に、前記レンズを覆う位置と該レンズに対して退避する位置とに回動可能に保持されたバリア部材と、
前記第１の部材に対して回転することにより前記バリア部材を回動させる第２の部材とを有し、
前記第１の部材に、前記第２の部材の回転中心位置を決める中心決め部が設けられていることを特徴とするカメラ。
【請求項２】
前記第１の部材は、カメラ本体に対して光軸方向に移動し、
該第１の部材の移動に応じて回転して前記第２の部材を回転させる第３の部材を有し、
前記中心決め部は、前記第２および第３の部材の回転中心を決めることを特徴とする請求項１に記載のカメラ。
【請求項３】
前記中心決め部は、前記第２の部材の回転方向における複数箇所に設けられた凸形状部であり、
前記第２の部材の内周面が、前記複数の凸形状部に当接することを特徴とする請求項１又は２に記載のカメラ。
【請求項４】
前記レンズ鏡筒を通過した光により形成される被写体像を光電変換する撮像素子を備えたことを特徴とする請求項１から３のいずれか１つに記載のカメラ。
【発明の詳細な説明】
【技術分野】
【０００１】
本発明は、カメラの撮影レンズを覆う位置と覆わない位置とにレンズバリアを開閉するレンズバリアに関するものである。
【背景技術】
【０００２】
従来、カメラに備えられる撮影レンズに不意に傷を付けたり、ユーザが撮影レンズを汚してしまうなどを防ぐために、カメラの電源がＯＦＦの時に撮影レンズを覆い、カメラの電源がＯＮの時に開放することによってカメラを撮影可能にするレンズバリア装置が種々提案されている。
【０００３】
図９に従来のレンズバリア装置を示す。３０はバリア部材であり、３０ａはバリア部材３０の回転中心である。そして、バリア部材３０には、バリア駆動部材３１に係合するピン３０ｂが設けられている。なお、ピン３０ｂを説明するため、図９ではバリア部材３０の一部切り欠いた状態を示している。また、３１はバリア部材３０を駆動するための駆動部材であり、バリア部材３０に係合する溝部３１ａが設けられている。３２は撮影レンズの光軸中心である。
【０００４】
そして、バリア駆動部材３１がＪ方向に回転すると、バリア部材３０のピン３０ｂがバリア駆動部材３１の溝部３１ａによって押され、バリア部材３０がＩ方向に回転する。
【０００５】
また、特許文献１では、バリア駆動部材とバリア部材の駆動アームとが直接接するように構成し、駆動アームの力の作用点をバリア部材に近くなるようして、薄型でかつ安定した動作を実現している。
【特許文献１】特開２００４−１２５６７（段落０００８〜００１１、図１、図４等）
【発明の開示】
【発明が解決しようとする課題】
【０００６】
しかしながら、一般にレンズバリア装置は、レンズ鏡筒の直進動作を光路遮光部材であるバリア部材の回転動作に変換することで、バリア部材を動作させている。つまり、この回転動作への変換効率が低下したり、また、バリア部材の動作が不安定となると、バリア部材の閉じ位置が安定せず、バリア部材が撮影レンズ１を適切に覆うことができなくなってしまう。
【０００７】
さらには、バリア部材はカメラの外観面を形成するため、バリア部材の閉じ位置が不安定であるとカメラの品位（外観）を損なうことになる。
【０００８】
具体的には、図９に示すようにバリア部材３０の回転中心３０ａを構成する部材（例えばレンズ鏡筒やバリア仕切り板）とバリア駆動部材３１とが偏芯する場合、例えば、バリア駆動部材３１がＨ方向に偏芯した場合、バリア部材３０の左右の回転角度が異なってしまう。このため、バリア部材３０の中心部に隙間ができ、閉じきらない状態となる。
【０００９】
また、特許文献１には図示されていないが、レンズ鏡筒の機構に対してバリア機構をさらに組み立てるため、各々の機構には組み立て時に必要なガタをもつ。ガタがあるとレンズ鏡筒機構の直線運動をバリア機構の回転動作に変換する際の変換効率が低下し、バリア駆動部材の所望の回転角を得ることができなくなる。このため、バリア部材が適切に回転できなくなるため、最終的にはバリア部材の閉じ位置が不安定になってしまう。
【００１０】
また、レンズバリア装置は撮影レンズの前面に取り付けられるものであるため、組み立て時の撮影レンズの損傷を防ぐためも簡単な構成で組み立て可能構造が必要とされる。
【００１１】
本発明の例示的な目的の１つは、簡略化された構造で、かつ安定したレンズバリアの動作が可能なカメラを実現することにある。
【課題を解決するための手段】
【００１２】
本発明の１つの観点としてのカメラは、レンズ鏡筒を構成する第１の部材と、第１の部材に、レンズを覆う位置と該レンズに対して退避する位置とに回動可能に保持されたバリア部材と、第１の部材に対して回転することによりバリア部材を回動させる第２の部材とを有し、第１の部材に、第２の部材の回転中心位置を決める中心決め部が設けられていることを特徴とする。
【発明の効果】
【００１３】
本発明によれば、第１の部材に第２の部材の回転中心位置を決める中心決め部が設けられているため、簡略化された構成で、かつバリア部材の位置精度が向上し、バリア部材の安定した動作を実現することができる。
【発明を実施するための最良の形態】
【００１４】
以下に本発明の実施例について説明する。
【実施例１】
【００１５】
図１は本発明の実施例１におけるカメラの外観斜視図である。１はカメラ本体で、このカメラ本体１の前面には撮影レンズの焦点距離が変更可能なレンズ鏡筒ユニット２、被写体に照明光を照射するストロボ装置を構成する発光窓部４、発光窓部４の左側にファインダ窓５が設けられている。そして、レンズ鏡筒ユニット２の前面にカメラの電源ＯＮ・ＯＦＦに従って撮影レンズの光路を進入するように開閉するレンズバリア装置３が備えられている。
【００１６】
また、カメラ本体１の上面には撮影準備動作（焦点調節動作および測光動作）及び撮影動作（フィルムやＣＭＯＳセンサ、ＣＣＤセンサ等の撮像素子１０ｂへの露光）を開始させるためのレリーズボタン６が設けられている。
【００１７】
図２はレンズ鏡筒ユニット２を繰り出した状態でのカメラの断面図である。７は第１レンズユニット７０を保持し、レンズ鏡筒ユニット２の外観面を形成するレンズ保持部材（第１の部材）であり、８はシャッターユニットと第２レンズユニット８０を保持する第１のレンズ保持枠、９は第３レンズユニットを保持する第２のレンズ保持枠である。これら第１、第２、第３の各レンズユニットによって撮影レンズが構成されている。１０は撮像素子１０ｂが設けられるベース部材である。そして、レンズ保持部材７の前面部にはレンズバリア装置３が備えられている。
【００１８】
また、１１はレンズ保持枠７（第１レンズユニット７０）をレンズ鏡筒ユニット２の駆動時に直進規制するための直進筒、１２は内部にレンズ保持枠７（第１レンズユニット７０）及び第１レンズ保持枠８を駆動するためのカムを備えた移動カム環であり、レンズ保持部材７に設けられたカムピン７ｂが移動カム環１２のカム溝部に係合している。１３は移動カム環１２を駆動するめのカムを備えた固定筒である。なお、レンズ鏡筒ユニット２の構成及び駆動方法は従来から公知の技術であり、詳しい説明は省略するが上記の構成に限定されるものではない。
【００１９】
図３、図４は本実施例におけるカメラのバリア機構の展開斜視図である。図３において、１４はレンズ鏡筒ユニット２の外観面を形成する外観カバー、１５は外観カバー１４と共にレンズ鏡筒ユニット２の前面を覆い、カメラの外観面を形成するバリアカバーである。図３及び図４において、１６は電源ＯＮ・ＯＦＦの動作（レンズ鏡筒ユニット２の動作）に従って撮影レンズの光路に進入するように開閉するバリア部材であり、後述する駆動部材１８と係合するピン部１６ａを備えている。また、バリア部材１６の回転中心はレンズ保持部材７に対して７ｃの位置に設けられている。このためバリア部材１６はレンズ保持部材７の基準軸（回転中心）７ｃに取り付けられ、これを中心に回転する。
【００２０】
１７はバリア部材１６が撮影レンズに触れないように光軸方向の位置を規制するバリア仕切り板、１８はバリア仕切り板１７よりも結像面側に配置されるバリア部材１６を駆動する駆動部材（第２の部材）である。駆動部材１８にはバリア部材１６を駆動するためのＵ字型の溝部１８ａが備えられている。
【００２１】
また、１９はレンズ保持部材７の動作を回転運動に変換する差動部材（第３の部材）であり、ベース部材１０に備えられるカム部１０ａとカム結合するカム部１９ａが設けられている。駆動部材１８と差動部材１９間には駆動部材１８を回転方向Ａに付勢する付勢ばね２０が設けられており、レンズ保持部材７と差動部材１９間にはＢ方向に差動部材１９をレンズ保持部材７に対して常に付勢するように付勢ばね２１が設けられている。このように、付勢ばね２０によって駆動部材１８と差動部材１９は一体で回転することが可能となる。また、付勢ばね２１は、バリア部材１６を開き方向へ付勢するためのばねである。
【００２２】
次に、本実施例におけるカメラのバリア機構とレンズ保持部材７との動作について図５及び図６を用いて説明する。図５にはベース部材１０、バリア部材１６、駆動部材１８、差動部材１９、付勢ばね２１を示しており、カメラの電源ＯＦＦ時の状態である。
【００２３】
図５においてカメラの電源がＯＮされると、レンズ鏡筒ユニット２は光軸方向Ｃに繰り出す。そして、レンズ鏡筒ユニット２が繰り出すと共に差動部材１９のカム部１９ａとベース部材１０のカム部１０ａの作用に従い、付勢ばね２１の開き力によって差動部材１９は図中Ｂ方向に回転する。差動部材１９と駆動部材１８は付勢ばね２０によって一体に回転するため駆動部材１８も図中Ｂ方向に回転する。
【００２４】
次にバリア部材１６と駆動部材１８との関係を説明する。なお、図６において、バリア部材１６のピン部１６ａと駆動部材１８のＵ字型溝部１８ａを説明するために、バリア部材１６の一部を切り欠いて図示している。
【００２５】
図６（ａ）はカメラの電源ＯＦＦ時の図であり、図５と同一の状態である。上述のように差動部材１９が図中Ｂ方向に回転する時、駆動部材１８も図中Ｂ方向に回転する。駆動部材１８のＵ字型溝部１８ａの回転によってバリア部材１６はピン部１６ａがＵ字型溝部１８ａと係合することによって図中Ｄ方向に回転する。レンズ鏡筒ユニット２の繰り出しが終わるとバリア部材１６と駆動部材１８は図６（ｂ）の状態になり、バリア部材１６の開き動作が終了してカメラが撮影可能状態となる。
【００２６】
また、カメラの電源ＯＦＦ時には、バリア部材１６は閉じ方向に、すなわち上記開き方向の動作とは逆方向の動作をする。具体的には、レンズ保持部材７（第１レンズユニット７０）がワイド端のとき、差動部材１９はカムによって回動するが、駆動部材１８は回転せず、レンズ保持部材７が沈胴したときに初めて差動部材１９と駆動部材１８が一体となって回転してバリア部材１６が閉じ方向に動作する。
【００２７】
次に、差動部材１８と駆動部材１９の組み立てについて図７を用いて説明をする。図７において駆動部材１８に設けられている爪部１８ｂと差動部材１９に設けられている引掛け部１９ｂの位相を合わせて、図Ｅ方向に回転させる。これによって駆動部材１９と差動部材１８は組み立て時には回転可能で、且つ光軸方向には位置が規制されているようになる。この時、駆動部材１８と差動部材１９はガタを持った状態で組み込まれる。
【００２８】
その後、付勢ばね２０を駆動部材１８と差動部材１９間にかけることによって、駆動部材１８は差動部材１９を基準に図中Ｆ方向に常に付勢されつつ一体となる。このため、駆動部材１８と差動部材１９は簡単な構成でユニット化することができる。
【００２９】
そして、一体となった差動部材１８と駆動部材１９をレンズ保持部材７（レンズ鏡筒ユニット２）に組み付けるが、両者はユニット化されているため、レンズ保持部材７に組み付ける時にレンズ近傍での作業が１回で終わる。このため、余計な作業を必要としないため、不用意にレンズに傷をつけてしまう等が防止される。
【００３０】
より具体的には、ユニット化された駆動部材１８と差動部材１９はレンズ保持部材７に対して図８に示すように構成される。同図においてレンズ保持部材７と駆動部材１８はレンズ保持部材７の係合部７ｄと駆動部材１８の内周係合部１８ｃが嵌合し、また、レンズ保持部材７の係合部７ｄと差動部材１９の内周係合部１９ｃが嵌合している。
【００３１】
このため、駆動部材１８（及び差動部材１９）の回転中心位置が係合部（中心決め部）７ｄによって位置決めされ、駆動部材１８と差動部材１９はレンズ鏡筒２を中心に偏芯することなく回動する。
【００３２】
すなわち、本実施例では、駆動部材１８、差動部材１９がレンズ保持部材７の係合部７ｄに位置決めされて該レンズ保持部材７を基準に回動し、また、バリア部材１６はレンズ保持部材７に設けられた回転中心７ｃを基準に回転する。このため、レンズバリア装置は全てレンズ保持部材７を基準に動作する機構となり、余計なガタ等、すなわち駆動部材１８等が偏芯せずに動作することが可能となる。したがって、簡略化された構成で、かつ安定動作が可能なレンズバリア装置を提供することが可能になる。
【００３３】
また、駆動部材１８と差動部材１９は簡単な構成で一体（ユニット）化しているので組み立て時の撮影レンズの近傍での作業を少なくすることができ、撮影レンズを傷つける等の問題も回避され、簡単に組み立てることができる。
【００３４】
なお、レンズ保持部材７の係合部７ｄは、円筒部７ｅの外周面における周方向の複数箇所に凸面状に形成されている。これは、円筒部７ｅの円筒面に駆動部材１８及び差動部材１９をほとんどガタなく係合（嵌合）させると、両部材の当接（摺動）する面積が大きくなり大きな摩擦が生じ、該摩擦によって駆動部材１８と差動部材１９の動作が円滑に行われ難くなるためであり、本実施例のように係合部７ｄを凸面状とすることで内周係合部１８ｃ、１９ｃとの摺動における摩擦を低減させ、円滑な動作が可能となる。  
【図面の簡単な説明】
【００３５】
【図１】本発明の実施例１におけるカメラの外観斜視図。
【図２】本発明の実施例１におけるカメラの中央断面図（繰出し状態）。
【図３】本発明の実施例１におけるカメラに係るレンズバリア装置の展開斜視図。
【図４】本発明の実施例１におけるカメラに係るレンズバリア装置の展開斜視図。
【図５】本発明の実施例１におけるカメラに係るレンズバリア装置の組立て斜視図。
【図６】本発明の実施例１におけるカメラに係るバリア部材の動作説明図。
【図７】本発明の実施例１におけるカメラに係るレンズバリア装置の組み立て説明図。
【図８】本発明の実施例１におけるカメラに係るレンズバリア装置の組み立て説明図。
【図９】従来のレンズバリア装置を示す斜視図。
【符号の説明】
【００３６】
１    カメラ本体
２    レンズ鏡筒ユニット
７    レンズ保持部材
７ｄ  係合部（中心決め部）
１６  バリア部材
１８  駆動部材
１９  差動部材
【図１】
2006098486.tif 000003
【図２】
2006098486.tif 000004
【図３】
2006098486.tif 000005
【図４】
2006098486.tif 000006
【図５】
2006098486.tif 000007
【図６】
2006098486.tif 000008
【図７】
2006098486.tif 000009
【図８】
2006098486.tif 000010
【図９】
2006098486.tif 000011